(57)【要約】【課題】監視システムにおいて、入退室者を適正に認識して不正な入退室者の発生を抑制することで安全性の向上を図る。【解決手段】利用者の生体情報を読み取る虹彩認証システム１１と、アンテナ接続情報に基づいてＰＨＳ端末の位置情報を取得するＰＨＳシステム１２と、虹彩認証システム１１により読み取った生体情報とＰＨＳシステム１２が取得したＰＨＳ端末の位置情報に基づいて入室の可否を決定する処理装置１４とを設けている。そして、この処理装置１４は、虹彩認証システム１１により生体情報を読み取った利用者が所持するＰＨＳ端末と、虹彩認証システム１１により生体情報を読み取った利用者に割り当てられたＰＨＳ端末とが一致したときに入室を許可する。【選択図】図１
2016206904.tif 000002
【特許請求の範囲】
【請求項１】
利用者の生体情報を読み取る生体認証装置と、
アンテナ接続情報に基づいて無線端末の位置情報を取得する無線端末位置情報取得装置と、
前記生体認証装置により読み取った生体情報と前記無線端末位置情報取得装置が取得した前記無線端末の位置情報に基づいて入室の可否を決定する処理装置と、
を備えることを特徴とする監視システム。
【請求項２】
前記処理装置は、前記生体認証装置により生体情報を読み取った利用者が所持する前記無線端末と、前記生体認証装置により生体情報を読み取った利用者に割り当てられた前記無線端末とが一致したとき、入室を許可することを特徴とする請求項１に記載の監視システム。
【請求項３】
前記処理装置は、前記生体認証装置により生体情報を読み取る位置をカバーするアンテナに接続された前記無線端末が、前記生体認証装置により生体情報を読み取った利用者に割り当てられた前記無線端末に一致したとき、入室を許可することを特徴とする請求項２に記載の監視システム。
【請求項４】
前記処理装置は、前記生体認証装置により生体情報を読み取った利用者が所持する前記無線端末が、前記生体認証装置により生体情報を読み取る位置をカバーするアンテナに接続された前記無線端末に一致したとき、入室を許可することを特徴とする請求項２に記載の監視システム。
【請求項５】
前記処理装置は、生体情報を読み取った複数の利用者が所持する複数の前記無線端末と、生体情報を読み取った複数の利用者に割り当てられた複数の前記無線端末とが一致したときに入室を許可することを特徴とする請求項２から請求項４のいずれか一項に記載の監視システム。
【請求項６】
前記処理装置は、前記生体認証装置により生体情報を読み取った利用者が所持する前記無線端末の接続するアンテナが、室内位置をカバーするアンテナに切り替わると、利用者の入室を認識することを特徴とする請求項１から請求項５のいずれか一項に記載の監視システム。
【請求項７】
前記処理装置は、前記生体認証装置により生体情報を読み取った利用者が所持する前記無線端末の接続するアンテナが、室外位置をカバーするアンテナに切り替わると、利用者の退室を認識することを特徴とする請求項１から請求項６のいずれか一項に記載の監視システム。
【請求項８】
入室位置を撮影するカメラと、前記カメラの映像を表示する表示装置が設けられ、前記処理装置は、前記生体認証装置が作動した入室位置を撮影する前記カメラの映像を前記表示装置に表示することを特徴とする請求項１から請求項７のいずれか一項に記載の監視システム。
【請求項９】
前記処理装置は、入室を許可した利用者の氏名を前記表示装置に表示することを特徴とする請求項８に記載の監視システム。
【請求項１０】
警報装置が設けられ、前記処理装置は、入室を許可しなかったときに前記警報装置を作動することを特徴とする請求項１から請求項９のいずれか一項に記載の監視システム。
【発明の詳細な説明】
【技術分野】
【０００１】
本発明は、区画された施設や部屋などへの入室や退出を監視する監視システムに関するものである。
【背景技術】
【０００２】
例えば、核物質の製造や管理を行う施設では、核物質防護規定により取り扱う特定の核物質を厳重に管理することが求められている。具体的には、防護区域に核物質を管理すると共に、この防護区域への入室や退室を管理する場合、ツーパーソンルールを厳守する管理が求められている。このツーパーソンルールとは、重要区域に対して、２人で入室及び退室のアクセスを行わせるドア解錠制御ルールのことである。即ち、重要区域へ入室する場合、２人のアクセスでないとドアが解錠できないように設定することで、重要区域への１人での入室を抑止して不正行為が発生しにくい環境を形成することができる。
【０００３】
このような監視システムとしては、従来、監視カメラ、ＩＤカード、生体認証などの各種システムが提案されている。例えば、下記特許文献１，２に記載されたものがある。
【先行技術文献】
【特許文献】
【０００４】
【特許文献１】特開２０１３−１０９７７９号公報
【特許文献２】特開２０１３−１４０５１７号公報
【発明の概要】
【発明が解決しようとする課題】
【０００５】
上述した従来の監視システムにて、監視カメラシステムは、撮影画像の高画質化が必要であったり、撮影範囲が限定されるおそれがあったりするなど、高い完全性を確保することが困難である。また、ＩＤカードや生体認証などによる個人認証システムは、認証者が通過するときにドアが開かれると、非認証者が不正に侵入する、所謂、共連れ侵入を阻止することが困難である。
【０００６】
本発明は、上述した課題を解決するものであり、入退室者を適正に認識して不正な入退室者の発生を抑制することで安全性の向上を図る監視システムを提供することを目的とする。
【課題を解決するための手段】
【０００７】
上記の目的を達成するための本発明の監視システムは、利用者の生体情報を読み取る生体認証装置と、アンテナ接続情報に基づいて無線端末の位置情報を取得する無線端末位置情報取得装置と、前記生体認証装置により読み取った生体情報と前記無線端末位置情報取得装置が取得した前記無線端末の位置情報に基づいて入室の可否を決定する処理装置と、を備えることを特徴とするものである。
【０００８】
従って、生体情報から利用者本人であることを確認し、無線端末の位置情報からその利用者本人の位置を確認することができ、入退室者を適正に認識して不正な入退室者の発生を抑制することで安全性の向上を図ることができる。
【０００９】
本発明の監視システムでは、前記処理装置は、前記生体認証装置により生体情報を読み取った利用者が所持する前記無線端末と、前記生体認証装置により生体情報を読み取った利用者に割り当てられた前記無線端末とが一致したとき、入室を許可することを特徴としている。
【００１０】
従って、生体情報を読み取られた利用者は、割り当てられた前記無線端末を所持することとなり、適正に本人確認をして入室を許可することができる。
【００１１】
本発明の監視システムでは、前記処理装置は、前記生体認証装置により生体情報を読み取る位置をカバーするアンテナに接続された前記無線端末が、前記生体認証装置により生体情報を読み取った利用者に割り当てられた前記無線端末に一致したとき、入室を許可することを特徴としている。
【００１２】
従って、生体認証装置の近傍のアンテナに接続された無線端末と、生体情報を読み取られた利用者の無線端末とが一致したとき、入室を許可するため、本人確認とその所在を適正に認識することができる。
【００１３】
本発明の監視システムでは、前記処理装置は、前記生体認証装置により生体情報を読み取った利用者が所持する前記無線端末が、前記生体認証装置により生体情報を読み取る位置をカバーするアンテナに接続された前記無線端末に一致したとき、入室を許可することを特徴としている。
【００１４】
従って、生体情報を読み取られた利用者の無線端末と、生体認証装置の近傍のアンテナに接続された無線端末とが一致したとき、入室を許可するため、本人確認とその所在を適正に認識することができる。
【００１５】
本発明の監視システムでは、前記処理装置は、生体情報を読み取った複数の利用者が所持する複数の前記無線端末と、生体情報を読み取った複数の利用者に割り当てられた複数の前記無線端末とが一致したときに入室を許可することを特徴としている。
【００１６】
従って、複数の無線端末の一致により入室を許可することから、ツーパーソンルールを厳守することができる。
【００１７】
本発明の監視システムでは、前記処理装置は、前記生体認証装置により生体情報を読み取った利用者が所持する前記無線端末の接続するアンテナが、室内位置をカバーするアンテナに切り替わると、利用者の入室を認識することを特徴としている。
【００１８】
従って、利用者が所持する無線端末の接続するアンテナが室内にあるアンテナに切り替わると、利用者の入室を認識するため、利用者の適正な入室を高精度に監視することができる。
【００１９】
本発明の監視システムでは、前記処理装置は、前記生体認証装置により生体情報を読み取った利用者が所持する前記無線端末の接続するアンテナが、室外位置をカバーするアンテナに切り替わると、利用者の退室を認識することを特徴としている。
【００２０】
従って、利用者が所持する無線端末の接続するアンテナが室外にあるアンテナに切り替わると、利用者の退室を認識するため、利用者の適正な退室を高精度に監視することができる。
【００２１】
本発明の監視システムでは、入室位置を撮影するカメラと、前記カメラの映像を表示する表示装置が設けられ、前記処理装置は、前記生体認証装置が作動した入室位置を撮影する前記カメラの映像を前記表示装置に表示することを特徴としている。
【００２２】
従って、生体認証装置が作動すると、表示装置に入室位置の撮影画像が表示されるため、監視者は、適正に入室する利用者を目視確認することができる。
【００２３】
本発明の監視システムでは、前記処理装置は、入室を許可した利用者の氏名を前記表示装置に表示することを特徴としている。
【００２４】
従って、入室が許可された利用者の氏名が表示装置に表示されるため、監視者は、適正に入室する利用者を目視確認することができる。
【００２５】
本発明の監視システムでは、警報装置が設けられ、前記処理装置は、入室を許可しなかったときに前記警報装置を作動することを特徴としている。
【００２６】
従って、監視体制を強化することができる。
【発明の効果】
【００２７】
本発明の監視システムによれば、生体認証装置により読み取った生体情報と無線端末位置情報取得装置が取得した無線端末の位置情報に基づいて入室の可否を決定するので、入退室者を適正に認識して不正な入退室者の発生を抑制することで安全性の向上を図ることができる。
【図面の簡単な説明】
【００２８】
【図１】図１は、本実施形態の監視システムを表す概略構成図である。
【図２】図２は、本実施形態の監視システムが適用される監視エリアの配置図である。
【図３】図３は、本実施形態の監視システムによる入室監視制御方法を表すフローチャートである。
【図４】図４は、本実施形態の監視システムによる退室監視制御方法を表すフローチャートである。
【発明を実施するための形態】
【００２９】
以下に添付図面を参照して、本発明に係る監視システムの好適な実施形態を詳細に説明する。なお、この実施形態により本発明が限定されるものではなく、また、実施形態が複数ある場合には、各実施形態を組み合わせて構成するものも含むものである。
【００３０】
図１は、本実施形態の監視システムを表す概略構成図である。
【００３１】
本実施形態の監視システムが適用される施設は、核物質の製造や管理を行う核燃料製造工場や核燃料再処理施設などである。このような施設は、核物質防護規定により取り扱う特定の核物質を厳重に管理することが求められており、管理エリア（防護区域）に核物質を安全に管理すると共に、この管理エリアに対する入室や退室を厳重に監視する必要がある。本実施形態の監視システムは、管理エリアに対する入室や退室にツーパーソンルールが適用される。
【００３２】
本実施形態の監視システムは、図１に示すように、虹彩認証システム（生体認証装置）１１と、ＰＨＳシステム（無線端末位置情報取得装置）１２と、監視カメラシステム１３と、処理装置１４とを備えている。
【００３３】
虹彩認証システム１１は、利用者の生体情報を読み取るものであって、眼球の黒目に現れる皺のパターンを識別することで本人確認を行う生体認証の一つであり、人体の特徴を利用するものである。人間の眼球は、黒目部分に瞳孔の外側に「虹彩」(アイリス)と呼ばれる環状の部分があり、ここには瞳孔を拡大したり縮小したりする筋肉があることから、眼球の形成時に細かい皺が寄る。この皺は、所定の年齢（例えば、２歳）になると、ほとんど変化しないため、この皺のパターンをその人間固有の識別情報として認証することができる。なお、本実施形態では、生体認証装置として、虹彩認証システムを適用したが、その他、指紋認証、掌形認証、網膜認証、顔認証、静脈認証、音声認証などを適用してもよい。
【００３４】
ＰＨＳシステム１２は、アンテナ接続情報に基づいてＰＨＳ端末（無線端末）の位置情報を取得するものである。ＰＨＳ（Personal Handy-phone System）は、小型の電話機を携帯し、移動した先で長距離間の通信を行うシステムである。ＰＨＳは、一つのアンテナ（基地局）がカバーできるエリアが狭いことから、この施設では、例えば、各部屋（エリア）ごとにアンテナが設置されている。そして、利用者は、１人当たり１台のＰＨＳ端末が割り当てられている。なお、無線端末としては、ＰＨＳ端末に限らず、携帯電話やその他の無線端末であってもよい。
【００３５】
監視カメラシステム１３は、ディスプレイ（表示装置）１５と、映像記録データベース１６が接続されており、複数のカメラが撮影した映像をディスプレイ１５に切換表示したり、映像記録データベース１６に記録したりすることができる。
【００３６】
処理装置１４は、虹彩認証システム１１、ＰＨＳシステム１２、監視カメラシステム１３が接続されており、虹彩認証システム１１からの解錠位置／個人特定情報と、ＰＨＳシステム１２からのＰＨＳ端末／アンテナ接続情報とに基づいて、特定エリアへの入室及び退室の可否を設定すると共に、監視カメラシステム１３を制御するものである。
【００３７】
即ち、処理装置１４は、虹彩認証システム１１により生体情報を読み取った利用者が所持するＰＨＳ端末と、虹彩認証システム１１により生体情報を読み取った利用者に割り当てられたＰＨＳ端末とが一致したとき、入室を許可する。
【００３８】
具体的に、処理装置１４は、虹彩認証システム１１により生体情報を読み取る位置（エリア）をカバーするアンテナに接続されたＰＨＳ端末が、虹彩認証システム１１により生体情報を読み取った利用者に割り当てられたＰＨＳ端末に一致したとき、入室を許可する。この場合、処理装置１４は、虹彩認証システム１１により生体情報を読み取った利用者が所持するＰＨＳ端末が、虹彩認証システム１１により生体情報を読み取る位置をカバーするアンテナに接続されたＰＨＳ端末に一致したとき、入室を許可するようにしてもよい。
【００３９】
処理装置１４は、生体情報を読み取った複数の利用者が所持する複数のＰＨＳ端末と、生体情報を読み取った複数の利用者に割り当てられた複数のＰＨＳ端末とが一致したとき、入室を許可する。つまり、管理エリアに対する入室や退室にツーパーソンルールが適用される。
【００４０】
そして、処理装置１４は、虹彩認証システム１１により生体情報を読み取った複数の利用者が所持する複数のＰＨＳ端末の接続するアンテナが、室内位置をカバーするアンテナに切り替わると、複数の利用者の入室を認識する。一方、処理装置１４は、虹彩認証システム１１により生体情報を読み取った利用者が所持するＰＨＳ端末の接続するアンテナが、室外位置をカバーするアンテナに切り替わると、利用者の退室を認識する。
【００４１】
また、処理装置１４は、虹彩認証システム１１が作動した入室位置を撮影するカメラの映像をディスプレイ１５に切替表示する。このとき、処理装置１４は、入室を許可した利用者の氏名をディスプレイ１５に表示する。
【００４２】
処理装置１４は、警報装置１７が接続されており、入室を許可しなかったときにこの警報装置を作動させる。この場合、警報装置１７としては、ディスプレイやスピーカなどが適用される。
【００４３】
処理装置１４は、各種のデータベース２１，２２，２３，２４が接続されている。ＰＨＳアンテナ位置／管理エリアデータベース２５は、施設の複数の管理エリア及び共有エリアに設置された全てのアンテナの位置を記録したデータベースである。監視カメラ位置データベース２６は、施設の複数の管理エリア及び共有エリアに設置された全てのカメラの位置を記録したデータベースである。施錠管理位置／管理エリアデータベース２７は、施設の複数の管理エリアにおける施錠管理位置を記録したデータベースである。
【００４４】
ＰＨＳアンテナ位置／カメラ位置組み合わせデータベース２１は、ＰＨＳアンテナ位置／管理エリアデータベース２５と監視カメラ位置データベース２６との各データを組み合わせることで、ＰＨＳアンテナ位置とカメラ位置とを関連付けたデータを記録したデータベースである。施錠管理位置／カメラ位置組み合わせデータベース２２は、監視カメラ位置データベース２６と施錠管理位置／管理エリアデータベース２７との各データを組み合わせることで、施錠管理位置とカメラ位置とを関連付けたデータを記録したデータベースである。ＰＨＳ／個人組み合わせデータベース２３は、ＰＨＳ端末と利用者（個人）とを関連付けたデータを記録したデータベースである。行動ルールデータベース２４は、管理エリアに対する入室や退室にツーパーソンルールを実行するための利用者の行動パターンを記録したデータベースである。
【００４５】
また、処理装置１４は、監視システム全般を管理する操作装置２８が接続されており、操作装置２８は、ディスプレイを有している。そして、操作装置２８は、入退室／アラームデータベース２９が接続されている。
【００４６】
ここで、管理エリアについて詳細に説明する。図２は、本実施形態の監視システムが適用される監視エリアの配置図である。
【００４７】
図２に示すように、共有エリアとしての通路３０に面して管理エリアとしての３個の部屋３１，３２，３３が設けられており、通路３０と各部屋３１，３２，３３との間に開閉自在なドア３４，３５，３６が設けられると共に、各ドア３４，３５，３６を施錠及び解錠する鍵３７，３８，３９が設けられている。また、各ドア３４，３５，３６の鍵３７，３８，３９の施錠及び解錠を行う虹彩認証システム１１（図１参照）における認証部４０，４１，４２が設けられている。
【００４８】
また、各ドア３４，３５，３６の通路３０側を撮影するカメラ４３，４４，４５が設けられると共に、各ドア３４，３５，３６の部屋３１，３２，３３側を撮影するカメラ４６，４７，４８が設けられている。更に、各部屋３１，３２，３３の全体を撮影するカメラ４９，５０，５１が設けられている。
【００４９】
また、各ドア３４，３５，３６の通路３０側の領域をカバーするＰＨＳ端末のアンテナ５２，５３，５４が設けられると共に、各部屋３１，３２，３３内の領域をカバーするＰＨＳ端末のアンテナ５５，５６，５７が設けられている。
【００５０】
以下、本実施形態の監視システムによる入退室監視制御方法について説明する。図３は、本実施形態の監視システムによる入室監視制御方法を表すフローチャート、図４は、本実施形態の監視システムによる退室監視制御方法を表すフローチャートである。
【００５１】
本実施形態の監視システムによる入室監視制御において、図１から図３に示すように、利用者Ａ，Ｂが部屋３１に入室する場合、まず、利用者Ａ，Ｂは、割り当てられたＰＨＳ端末６１，６２を所持して部屋３１に対応する通路３０で止まり、虹彩認証システム１１の認証部４０を用いて入室する。
【００５２】
このとき、ステップＳ１１にて、処理装置１４は、虹彩認証システム１１が作動したかどうかを判定する。ここで、虹彩認証システム１１が作動していないと判定（Ｎｏ）されると、何もしないでこのルーチンを抜ける。一方、虹彩認証システム１１が作動したと判定（Ｙｅｓ）されると、ステップＳ１２にて、処理装置１４は、虹彩認証システム１１が作動した解錠位置が鍵３７であると特定する。また、ステップＳ１３にて、処理装置１４は、虹彩認証システム１１により個人（利用者Ａ）を特定する。
【００５３】
ステップＳ１４にて、処理装置１４は、虹彩認証システム１１が作動した解錠位置に対応するカメラ４３，４６，４９を特定し、ステップＳ１５にて、ディスプレイ１５の表示をカメラ４３，４６，４９が撮影した画像に切り替え、ステップＳ１６にて、ディスプレイ１５にカメラ４３，４６，４９が撮影した画像を表示（分割表示）する。そして、ステップＳ１７にて、カメラ４３，４６，４９が撮影した画像を映像記録データベース１６に記録する。
【００５４】
ステップＳ１８にて、処理装置１４は、解錠位置のエリアをカバーするアンテナ５２の位置を特定し、このアンテナ５２に接続するＰＨＳ端末の情報を取得する。ステップＳ１９にて、処理装置１４は、解錠位置のエリアをカバーするアンテナ５２に接続するＰＨＳ端末が割り当てられた個人（所属と氏名）を特定する。そして、ステップＳ２０にて、利用者Ａと個人を照合する。即ち、処理装置１４は、虹彩認証システム１１により認証した利用者Ａと、解錠位置のエリアをカバーするアンテナ５２に接続するＰＨＳ端末が割り当てられた個人とが一致しているかどうかを判定する。この場合、解錠位置のエリアをカバーするアンテナに接続するＰＨＳ端末が割り当てられた個人が複数いた場合、虹彩認証システム１１により認証した利用者Ａが、解錠位置のエリアをカバーするアンテナ５２に接続するＰＨＳ端末が割り当てられた複数の個人の中にいるかどうかを判定する。
【００５５】
ここで、処理装置１４は、虹彩認証システム１１により認証した利用者Ａと、ＰＨＳ端末が割り当てられた個人とが一致していると判定（Ｙｅｓ）されると、虹彩認証システム１１により認証した利用者Ａは、割り当てられたＰＨＳ端末６１を所持していると認識する。ステップＳ２１にて、２人の利用者Ａ，Ｂの照合が完了したかどうかを判定する。ここで、１人の利用者Ａだけしか照合が完了していないと判定（Ｎｏ）されると、ステップＳ１１に戻って２人目の照合を行う。
【００５６】
即ち、前述と同様に、ステップＳ１１にて、処理装置１４は、利用者Ｂにより虹彩認証システム１１が作動したと判定（Ｙｅｓ）されると、ステップＳ１２にて、処理装置１４は、虹彩認証システム１１が作動した解錠位置が鍵３７であると特定し、ステップＳ１３にて、処理装置１４は、虹彩認証システム１１により個人（利用者Ｂ）を特定する。なお、ステップＳ１４からステップＳ１７では、虹彩認証システム１１が作動した解錠位置に変更が無いことから、実質的な処理はない。
【００５７】
ステップＳ１８にて、処理装置１４は、解錠位置のエリアをカバーするアンテナ５２の位置を特定し、このアンテナ５２に接続するＰＨＳ端末の情報を取得する。ステップＳ１９にて、処理装置１４は、解錠位置のエリアをカバーするアンテナ５２に接続するＰＨＳ端末が割り当てられた個人（所属と氏名）を特定する。そして、ステップＳ２０にて、利用者Ｂと個人を照合する。即ち、処理装置１４は、虹彩認証システム１１により認証した利用者Ｂと、解錠位置のエリアをカバーするアンテナ５２に接続するＰＨＳ端末が割り当てられた個人とが一致しているかどうかを判定する。
【００５８】
ここで、処理装置１４は、虹彩認証システム１１により認証した利用者Ｂと、ＰＨＳ端末が割り当てられた個人とが一致していると判定（Ｙｅｓ）されると、虹彩認証システム１１により認証した利用者Ｂは、割り当てられたＰＨＳ端末６２を所持していると認識する。ステップＳ２１にて、２人の利用者Ａ，Ｂの照合が完了したかどうかを判定する。ここで、２人の利用者Ａ，Ｂの照合が完了していると判定（Ｙｅｓ）されると、ステップＳ２２にて、処理装置１４は、鍵３７を解錠してドア３４を開放する。ステップＳ２３にて、処理装置１４は、鍵３７を解錠（ドア３４を開放）してから所定時間（例えば、３０秒）が経過したかどうかを判定する。ここで、鍵３７を解錠してから所定時間が経過していないと判定（Ｎｏ）されるとそのまま待機し、所定時間が経過したと判定（Ｙｅｓ）されると、ステップＳ２４に移行する。
【００５９】
ステップＳ２４にて、処理装置１４は、２人の利用者Ａ，Ｂが部屋３１に入室したかどうかを判定する。即ち、処理装置１４は、虹彩認証システム１１により生体情報を読み取った２人の利用者Ａ，Ｂが所持する複数のＰＨＳ端末６１，６２の接続するアンテナが、通路３０側のアンテナ５２から室内位置をカバーするアンテナ５５に切り替わったかどうかを判定する。ここで、２人の利用者Ａ，Ｂが所持する複数のＰＨＳ端末６１，６２の接続するアンテナが、通路３０側のアンテナ５２から部屋３１側のアンテナ５５に切り替わったと判定（Ｙｅｓ）されると、ステップＳ２５にて、処理装置１４は、２人の利用者Ａ，Ｂの入室を認識し、ドア３４を閉止して鍵３７を施錠する。
【００６０】
２人の利用者Ａ，Ｂの部屋３１への入室監視が完了すると、処理装置１４は、ステップＳ２６にて、カメラ４３，４６，４９が撮影した画像の映像記録データベース１６への記録を終了し、ステップＳ２７にて、ディスプレイ１５の表示を通常モードに切り替えて処理を終了する。
【００６１】
一方、ステップＳ２０にて、処理装置１４は、虹彩認証システム１１により認証した利用者Ａ，Ｂと、解錠位置のエリアをカバーするアンテナ５２に接続するＰＨＳ端末が割り当てられた個人とが一致していないと判定（Ｎｏ）すると、ステップＳ２８に移行し、警報装置１７を作動してアラームを鳴らす。また、ステップＳ２４にて、処理装置１４は、所定時間が経過しても、虹彩認証システム１１により生体情報を読み取った２人の利用者Ａ，Ｂが所持する複数のＰＨＳ端末６１，６２の接続するアンテナが、通路３０側のアンテナ５２から室内位置をカバーするアンテナ５５に切り替わらないと判定（Ｎｏ）すると、ステップＳ２８に移行し、警報装置１７を作動してアラームを鳴らす。
【００６２】
このとき、処理装置１４は、虹彩認証システム１１により生体情報を読み取った２人の利用者Ａ，Ｂ以外の利用者が所持するＰＨＳ端末が部屋３１側のアンテナ５５に接続されると、警報装置１７を作動してアラームを鳴らす。また、管理者は、ディスプレイ１５を監視しており、その他の異常があったとき、操作装置２８を用いて警報装置１７を作動してアラームを鳴らす。
【００６３】
本実施形態の監視システムによる退室監視制御において、図１及び図２、図４に示すように、利用者Ａ，Ｂが部屋３１から退室する場合、まず、利用者Ａ，Ｂは、虹彩認証システム１１の認証部４０を用いて退室する。
【００６４】
ステップＳ３１にて、処理装置１４は、虹彩認証システム１１が作動したかどうかを判定する。ここで、虹彩認証システム１１が作動していないと判定（Ｎｏ）されると、何もしないでこのルーチンを抜ける。一方、虹彩認証システム１１が作動したと判定（Ｙｅｓ）されると、ステップＳ３２にて、処理装置１４は、虹彩認証システム１１が作動した解錠位置が鍵３７であると特定する。また、ステップＳ３３にて、処理装置１４は、虹彩認証システム１１により個人（利用者Ａ）を特定する。
【００６５】
ステップＳ３４にて、処理装置１４は、虹彩認証システム１１が作動した解錠位置に対応するカメラ４３，４６，４９を特定し、ステップＳ３５にて、ディスプレイ１５の表示をカメラ４３，４６，４９が撮影した画像に切り替え、ステップＳ３６にて、ディスプレイ１５にカメラ４３，４６，４９が撮影した画像を表示（分割表示）する。そして、ステップＳ３７にて、カメラ４３，４６，４９が撮影した画像を映像記録データベース１６に記録する。
【００６６】
ステップＳ３８にて、処理装置１４は、解錠位置のエリアをカバーするアンテナ５５の位置を特定し、このアンテナ５５に接続するＰＨＳ端末の情報を取得する。ステップＳ３９にて、処理装置１４は、解錠位置のエリアをカバーするアンテナ５５に接続するＰＨＳ端末が割り当てられた個人（所属と氏名）を特定する。そして、ステップＳ４０にて、利用者Ａと個人を照合する。即ち、処理装置１４は、虹彩認証システム１１により認証した利用者Ａと、解錠位置のエリアをカバーするアンテナ５５に接続するＰＨＳ端末が割り当てられた個人とが一致しているかどうかを判定する。
【００６７】
ここで、処理装置１４は、虹彩認証システム１１により認証した利用者Ａと、ＰＨＳ端末が割り当てられた個人とが一致していると判定（Ｙｅｓ）されると、虹彩認証システム１１により認証した利用者Ａは、割り当てられたＰＨＳ端末６１を所持していると認識する。ステップＳ４１にて、２人の利用者Ａ，Ｂの照合が完了したかどうかを判定する。ここで、１人の利用者Ａだけしか照合が完了していないと判定（Ｎｏ）されると、ステップＳ３１に戻って２人目の照合を行う。
【００６８】
即ち、前述と同様に、ステップＳ３１にて、処理装置１４は、利用者Ｂにより虹彩認証システム１１が作動したと判定（Ｙｅｓ）されると、ステップＳ３２にて、処理装置１４は、虹彩認証システム１１が作動した解錠位置が鍵３７であると特定し、ステップＳ３３にて、処理装置１４は、虹彩認証システム１１により個人（利用者Ｂ）を特定する。なお、ステップＳ３４からステップＳ３７では、虹彩認証システム１１が作動した解錠位置に変更が無いことから、実質的な処理はない。
【００６９】
ステップＳ３８にて、処理装置１４は、解錠位置のエリアをカバーするアンテナ５５の位置を特定し、このアンテナ５５に接続するＰＨＳ端末の情報を取得する。ステップＳ３９にて、処理装置１４は、解錠位置のエリアをカバーするアンテナ５５に接続するＰＨＳ端末が割り当てられた個人（所属と氏名）を特定する。そして、ステップＳ４０にて、利用者Ｂと個人を照合する。即ち、処理装置１４は、虹彩認証システム１１により認証した利用者Ｂと、解錠位置のエリアをカバーするアンテナ５５に接続するＰＨＳ端末が割り当てられた個人とが一致しているかどうかを判定する。
【００７０】
ここで、処理装置１４は、虹彩認証システム１１により認証した利用者Ｂと、ＰＨＳ端末が割り当てられた個人とが一致していると判定（Ｙｅｓ）されると、虹彩認証システム１１により認証した利用者Ｂは、割り当てられたＰＨＳ端末６２を所持していると認識する。ステップＳ４１にて、２人の利用者Ａ，Ｂの照合が完了したかどうかを判定する。ここで、２人の利用者Ａ，Ｂの照合が完了していると判定（Ｙｅｓ）されると、ステップＳ４２にて、処理装置１４は、鍵３７を解錠してドア３４を開放する。ステップＳ４３にて、処理装置１４は、鍵３７を解錠（ドア３４を開放）してから所定時間（例えば、３０秒）が経過したかどうかを判定する。ここで、鍵３７を解錠してから所定時間が経過していないと判定（Ｎｏ）されるとそのまま待機し、所定時間が経過したと判定（Ｙｅｓ）されると、ステップＳ４４に移行する。
【００７１】
ステップＳ４４にて、処理装置１４は、２人の利用者Ａ，Ｂが部屋３１から退室したかどうかを判定する。即ち、処理装置１４は、虹彩認証システム１１により生体情報を読み取った２人の利用者Ａ，Ｂが所持する複数のＰＨＳ端末６１，６２の接続するアンテナが、部屋３１側のアンテナ５５から通路３０側のアンテナ５２に切り替わったかどうかを判定する。ここで、２人の利用者Ａ，Ｂが所持する複数のＰＨＳ端末６１，６２の接続するアンテナが、部屋３１側のアンテナ５５から通路３０側のアンテナ５２に切り替わったと判定（Ｙｅｓ）されると、ステップＳ４５にて、処理装置１４は、２人の利用者Ａ，Ｂの退室を認識し、ドア３４を閉止して鍵３７を施錠する。
【００７２】
２人の利用者Ａ，Ｂの部屋３１への退室監視が完了すると、処理装置１４は、ステップＳ４６にて、カメラ４３，４６，４９が撮影した画像の映像記録データベース１６への記録を終了し、ステップＳ４７にて、ディスプレイ１５の表示を通常モードに切り替えて処理を終了する。
【００７３】
一方、ステップＳ４０にて、処理装置１４は、虹彩認証システム１１により認証した利用者Ａ，Ｂと、解錠位置のエリアをカバーするアンテナ５２に接続するＰＨＳ端末が割り当てられた個人とが一致していないと判定（Ｎｏ）すると、ステップＳ４８に移行し、警報装置１７を作動してアラームを鳴らす。また、ステップＳ４４にて、処理装置１４は、所定時間が経過しても、虹彩認証システム１１により生体情報を読み取った２人の利用者Ａ，Ｂが所持する複数のＰＨＳ端末６１，６２の接続するアンテナが、部屋３１側のアンテナ５５から通路３０側のアンテナ５２に切り替わらないと判定（Ｎｏ）すると、ステップＳ４８に移行し、警報装置１７を作動してアラームを鳴らす。
【００７４】
このとき、処理装置１４は、虹彩認証システム１１により生体情報を読み取った２人の利用者Ａ，Ｂ以外の利用者が所持するＰＨＳ端末が部屋３１側のアンテナ５５に接続されると、警報装置１７を作動してアラームを鳴らす。また、管理者は、ディスプレイ１５を監視しており、その他の異常があったとき、操作装置２８を用いて警報装置１７を作動してアラームを鳴らす。
【００７５】
なお、本実施形態の監視システムは、上述したような機能とは別に、個人追跡機能を有している。処理装置１４は、虹彩認証システム１１により利用者を特定したとき、ＰＨＳ／個人組み合わせデータベース２３を用いて、特定した利用者に割り当てられたＰＨＳ端末を特定する。また、処理装置１４は、ＰＨＳシステム１２により特定したＰＨＳ端末のアンテナ接続情報に基づいてＰＨＳ端末の位置情報を取得する。そして、処理装置１４は、ＰＨＳアンテナ位置／カメラ位置組み合わせデータベース２１を用いて、特定したＰＨＳ端末を所持した利用者を撮影可能なカメラを特定し、且つ、切り替えていき、特定した利用者を常時ディスプレイ１５に表示すると共に、この利用者の移動軌跡を記録する。この場合、処理装置１４は、虹彩認証システム１１を用いずに、予め利用者を特定しておくことで、同様の処理を行うこともできる。
【００７６】
また、処理装置１４は、虹彩認証システム１１により利用者を特定したとき、施錠管理位置／カメラ位置組み合わせデータベース２２を用いて、特定した利用者を撮影可能なカメラを特定する。そして、処理装置１４は、特定した利用者を常時ディスプレイ１５に表示すると共に映像を記録する。
【００７７】
このように本実施形態の監視システムにあっては、利用者の生体情報を読み取る虹彩認証システム１１と、アンテナ接続情報に基づいてＰＨＳ端末の位置情報を取得するＰＨＳシステム１２と、虹彩認証システム１１により読み取った生体情報とＰＨＳシステム１２が取得したＰＨＳ端末の位置情報に基づいて入室の可否を決定する処理装置１４とを設けている。そして、この処理装置１４は、虹彩認証システム１１により生体情報を読み取った利用者が所持するＰＨＳ端末と、虹彩認証システム１１により生体情報を読み取った利用者に割り当てられたＰＨＳ端末とが一致したときに入室を許可する。
【００７８】
従って、生体情報から利用者本人であることを確認し、ＰＨＳ端末の位置情報からその利用者本人の位置を確認することができ、入退室者を適正に認識して不正な入退室者の発生を抑制することで安全性の向上を図ることができる。
【００７９】
本実施形態の監視システムでは、処理装置１４は、虹彩認証システム１１により生体情報を読み取る位置をカバーするアンテナに接続されたＰＨＳ端末が、虹彩認証システム１１により生体情報を読み取った利用者に割り当てられたＰＨＳ端末に一致したとき、入室を許可する。従って、本人確認とその所在を適正に認識することができる。
【００８０】
本実施形態の監視システムでは、処理装置１４は、虹彩認証システム１１により生体情報を読み取った利用者が所持するＰＨＳ端末が、虹彩認証システム１１により生体情報を読み取る位置をカバーするアンテナに接続されたＰＨＳ端末に一致したとき、入室を許可する。従って、本人確認とその所在を適正に認識することができる。
【００８１】
本実施形態の監視システムでは、処理装置１４は、生体情報を読み取った複数の利用者Ａ，Ｂが所持する各ＰＨＳ端末と、この各利用者Ａ，Ｂに割り当てられた各ＰＨＳ端末６１，６２とが一致したときに入室を許可する。従って、複数のＰＨＳ端末の一致により入室を許可することから、ツーパーソンルールを厳守することができる。
【００８２】
本実施形態の監視システムでは、処理装置１４は、虹彩認証システム１１により生体情報を読み取った利用者が所持するＰＨＳ端末の接続するアンテナが、室内位置をカバーするアンテナに切り替わると、利用者の入室を認識する。従って、ＰＨＳ端末の接続するアンテナが切り替わると、利用者が部屋内に移動したことであるため、利用者の入室を認識することができ、利用者の適正な入室を高精度に監視することができる。
【００８３】
本実施形態の監視システムでは、処理装置１４は、虹彩認証システム１１により生体情報を読み取った利用者が所持するＰＨＳ端末の接続するアンテナが、室外位置をカバーするアンテナに切り替わると、利用者の退室を認識する。従って、ＰＨＳ端末の接続するアンテナが切り替わると、利用者が部屋外に移動したことであるため、利用者の退室を認識することができ、利用者の適正な退室を高精度に監視することができる。
【００８４】
本実施形態の監視システムでは、監視カメラシステム１３として、入室位置を撮影するカメラと、カメラの映像を表示するディスプレイ１５と、カメラ映像を記録する映像記録データベース１６を設けている。従って、虹彩認証システム１１が作動すると、ディスプレイ１５に入室位置の撮影画像が表示されるため、監視者は、適正に入室する利用者を目視確認することができる。
【００８５】
本実施形態の監視システムでは、処理装置１４は、入室を許可した利用者の氏名をディスプレイ１５に表示する。従って、入室が許可された利用者の氏名がディスプレイ１５に表示されるため、監視者は、適正に入室する利用者を目視確認することができる。
【００８６】
本実施形態の監視システムでは、警報装置１７を設け、処理装置１４は、入室を許可しなかったときに警報装置１７を作動させる。従って、監視体制を強化することができる。
【００８７】
なお、上述した実施形態では、本発明の監視システムを、核物質の製造や管理を行う核燃料製造工場や核燃料再処理施設に適用して説明したが、適用する施設は、この施設に限定されるものではなく、重要な書類や物品などを収容するエリアを有する施設に適用することができる。また、本発明の監視システムは、ツーパーソンルールに限定されるものでもない。
【符号の説明】
【００８８】
１１  虹彩認証システム（生体認証装置）
１２  ＰＨＳシステム（無線端末位置情報取得装置）
１３  監視カメラシステム
１４  処理装置
１５  ディスプレイ（表示装置）
１６  映像記録データベース
１７  警報装置
２１  ＰＨＳアンテナ位置／カメラ位置組み合わせデータベース
２２  施錠管理位置／カメラ位置組み合わせデータベース
２３  ＰＨＳ／個人組み合わせデータベース
２４  行動ルールデータベース
２５  ＰＨＳアンテナ位置／管理エリアデータベース
２６  監視カメラ位置データベース
２７  施錠管理位置／管理エリアデータベース
２８  操作装置
２９  入退室／アラームデータベース
３１，３２，３３  部屋
３４，３５，３６  ドア
３７，３８，３９  鍵
４０，４１，４２  認証部
４３，４４，４５，４６，４７，４８，４９，５０，５１  カメラ
５２，５３，５４，５５，５６，５７  アンテナ
６１，６２  ＰＨＳ端末
Ａ，Ｂ  利用者
【図１】
2016206904.tif 000003
【図２】
2016206904.tif 000004
【図３】
2016206904.tif 000005
【図４】
2016206904.tif 000006